(57)【要約】【課題】インターネットで、必要地域に関連した情報を優先表示する。【解決手段】ドメインネームに地域情報を付加して登録し、検索エンジンも地域情報を選択検索できる構成とする。【選択図】  図１
2004220243.tif 000002
【特許請求の範囲】
【請求項１】
インターネット上の、ＵＲＬ（Ｕｎｉｆｏｒｍ  Ｒｅｓｏｕｒｃｅ  Ｌｏｃａｔｏｒ）とＩＰアドレスの照合を行うサーバー（ＤＮＳサーバー）で、ドメイン名に社名、個人名、団体名、商品名等ユニークな名称を付与するだけでなく、情報提供を行う利用者の地域情報を識別するゾーンコードを含めて登録するドメイン名管理方法。
【請求項２】
請求項１のフォーマットで入力されたＩＰアドレスとＵＲＬの対照登録から、インターネット上のＵＲＬ（Ｕｎｉｆｏｒｍ  Ｒｅｓｏｕｒｃｅ  Ｌｏｃａｔｏｒ）を検索する時、検索目的の社名、個人名、団体名、商品名等での形態要素解析、Ｎ−ｇｒａｍ解析等の解析手法で目的語の検索を行う以外に、地域コードを入力することで、入力場所情報に近いＵＲＬから表示をおこなう検索エンジン。
【請求項３】
地域を特定するコードをコンテンツ提供元の市街住所を特定するコードからなる請求項１のドメイン名管理方法。
【請求項４】
地域を特定するコードをコンテンツ提供元の電話番号からなる請求項１のドメイン名管理方法。
【発明の詳細な説明】
【０００１】
【発明の属する技術分野】
本発明はインターネットので目的のＵＲＬ（Ｕｎｉｆｏｒｍ  Ｒｅｓｏｕｒｃｅ  Ｌｏｃａｔｏｒ）速やかに発見するための物である。
【０００２】
【従来の技術】
従来のインターネットのドメイン名には、社名、個人名、団体名、商品名等ユニークな名称を付与している。
【０００３】
【非特許文献１】
ＲＦＣ（Ｒｅｑｕｅｓｔ  ｆｏｒ  Ｃｏｍｍｅｎｔｓ）ＲＦＣ９５３
【０００４】
【発明が解決しようとする課題】
従来のドメイン名の付与形式によれば、サーバーを検索するためにユニークな名称を付与して、簡単に、目的のＵＲＬを見つけられるように工夫されている。最近のインターネットの使われ方の一つに、大きな辞書として利用されている場合が多くたとえば、自分の住んでいる近くの美術館を探したい場合、「Ｍｕｓｅｕｍ」をキーワードで検索すると、世界中のＭｕｓｅｕｍにヒットして、多くの情報が一度に表示されることになる。ところが、一般的には、まず身の回りに近い情報を優先的に入手したい場合がほとんどである。
【０００５】
【課題を解決するための手段】
一般的にドメイン名とＩＰアドレスの管理は、ネットワーク情報センターで行われており、ネットワーク情報センターにより付与されたＩＰアドレスとドメイン名の照合を行うためのＤＮＳサーバーによりドメイン名とＩＰアドレスの参照表によりドメイン名からのＩＰアドレス参照を管理しているから、通常の社名、個人名、団体名、商品名等ユニークな名称だけでなく、サブドメインとして、地域コードをサブドメイン名として登録する。
【０００６】
地域コードとして代表的な物に、ＺＩＰコードがある。
【０００７】
更に、検索エンジン側も特定名称だけでなく、地域コードを検索するキーコードの後に、地域コードを入力することで、サブドメイン名の検索が出来るようにすればよい。
【０００８】
【発明実施の形態】
請求項１に記載の発明は、インターネット上の、ＵＲＬ（Ｕｎｉｆｏｒｍ  Ｒｅｓｏｕｒｃｅ  Ｌｏｃａｔｏｒ）とＩＰアドレスの照合を行うサーバー（ＤＮＳサーバー）で、ドメイン名に社名、個人名、団体名  、商品名等ユニークな名称を付与するだけでなく、情報提供を行う利用者の地域情報を識別するゾーンコードを含めて、登録するドメイン名管理方法であって、通常は、社名、個人名、団体名、商品名等ユニークな名称だけをドメイン名としていたが、それだけでなく、サブドメインとして、地域コードをサブドメイン名として登録する。
【０００９】
一方、検索エンジン側でも、通常のキーワード検索だけでなく、地域コードによるエリア限定機能をもった検索を行う。
【００１０】
【実施例】
以下本発明の実施例について、図面を参照しながら説明する。
【００１１】
（実施例１）
一般的なクライアントＰＣとＷＥＢサーバー、ＤＮＳサーバーの接続形態を図１に示す。ここで、１０はインターネット網  １１はクライアントＰＣ１２はＷＥＢサーバー１３はローカルにあるＤＮＳサーバー１４はグローバルに設置されたＤＮＳサーバーである。
【００１２】
クライアントＰＣ１１を利用するユーザーは、自分のＰＣより目的のＷＥＢサーバーに接続するために、ブラウザにＵＲＬを入力する、すると、クライアントＰＣに設定されたＤＮＳサーバーへＵＲＬから求められるＩＰアドレスを問い合わせ、得られたＩＰアドレスのＷＥＢサーバーに接続することで、目的のＷＥＢサーバーのコンテンツを閲覧することが可能になる。
【００１３】
ＤＮＳサーバーは、世界中に点在しており、上位にあるＤＮＳサーバーは、ＩＰアドレスとＵＲＬの整合性を確保するために定期的に内容を更新するしくみを持っている。従って、ローカルなＤＮＳサーバーに設定されたＩＰアドレスとＵＲＬの対応表は、時間毎に上位ＤＮＳサーバーに反映され、世界中のどこからでも、目的のＵＲＬを入力しただけで、目的のＷＥＢサーバーのコンテンツが閲覧出来る物である。
【００１４】
今までのＤＮＳサーバーへの登録を、図２に示す。ここで、ＩＰアドレス６１．１９９．２４７．２３４はｈｏｓｔ１０７．ｅ−ｖｓｂ．ｃｏｍというサーバーに割り当てられており、ｈｏｓｔ１０７．ｅ−ｖｓｂ．ｃｏｍはｋｅｎｋｏｕ＃ｓｅｒｖｅｒ．ｅ−ｖｓｂ．ｃｏｍというドメイン名に定義されていることを示している。
【００１５】
従って、同じ手順でＩＰアドレス６８．２５１．１０．１１７にａｂｃ−ｔｒａｖｅｌｅ．ｃｏｍとａｂｃ−ｔｒａｖｅｌｅ．ｃｏｍ．１００−００４を定義するとするものである。
【００１６】
（実施例２）
請求項２を活用するために、請求項１のＤＮＳに、地域コードを含めてＵＲＬを登録することを説明したが、請求項１で説明したように、地域コードも含めてドメイン名を登録してあると、今までのブラウザで直接目的ページを参照する時は、短い方のａｂｃ−ｔｒａｖｅｌｅ．ｃｏｍを指定すれば良く、新規機能を搭載した検索エンジンを使って、地域限定検索を行う時は、ａｂｃ−ｔｒａｖｅｌｅ．ｃｏｍ．１００−００４を使えばよい事になる。
【００１７】
ここでは、検索エンジンの検索アルゴリズムについての詳しい説明は省略するが、検索エンジンを使って、ＵＲＬ名から検索する場合は、例えば、ａｂｃとｔｒａｖｅｌで範囲を絞り込めるし、形態要素解析、Ｎ−ｇｒａｍ解析等を使えば、コンテンツ内の特定語句の検索を行うことも可能なことは言うまでもない。それに請求項１で説明した地域コードを追加することで、より地域に関連した情報を優先的に入手することができるものである。
【００１８】
検索エンジンに特定のデリミタを入力後のデータは地域特定コードと決めておけば、検索エンジンのターゲット入力欄に検索目的の文字列と定義したデリミタの後に地域特定のコードを入力すれば良い、ここでＺＩＰコード入力時のデリミタをＺＺと決めておけば、ａｂｃ  ｔｒａｖｅｌｅ  ｚｚ１００の様に入力すれば、デリミタより前の文字列は、通常検索をデリミタより後ろはＺＩＰコード１００に近い地域情報から順にのａｂｃ  ｔｒａｖｅｌｅのＵＲＬを表示するものである。
【００１９】
今までの検索エンジンでは、ＺＩＰコード検索機能はないし、今までのブラウザではＵＲＬを正しく入力しないと、目的のページが表示できないから、ＤＮＳへの登録時には、ＡＢＣ美術館であれば、ＪＰＮＩＣより与えられたグローバルＩＰアドレスに、ａｂｃ−ｔｒａｖｅｌｅ．ｃｏｍとａｂｃ−ｔｒａｖｅｌｅ．ｃｏｍ／５６３−００２９を両方登録しておけばよい。
【００２０】
通常、ユーザーがインターネットに接続して、目的の情報を入手するまでのフローを第３図に示す。ここで、２０は、サブルーチンの表示で、別途図４に動作フローを示す。
【００２１】
【発明の効果】
一例として、全国展開を図っている、Ａ電機の新店舗が開店した場合、通常店舗では、３９８００円で売っている電化製品を開店特価３５８００円で販売するケースなどが考えられ、この場合Ａ電機の○○店舗だけの特価販売になるわけで、利用者は、Ａ電機の○○店が運営しているＡ電機のＨＰを参照すれば、速やかに開店特価情報を手に入れられる。
【００２２】
また、通常生活者は一般には自分の身の回りの情報をより深く、自分より離れた情報は、浅く入手したいケースが多い。
【００２３】
一例として、美術館に行きたいので、情報がほしい場合、まずは歩いて又は車で数十分程度で行けるところからの情報が最優先でほしい訳であり、地球の裏側の美術館の情報が有っても、「ふーーん、こんなところにこんな美術館があるんだ」程度で終わってしまうに違いない。そこで、ＤＮＳサーバー上での登録時にドメイン名に社名、個人名、団体名  、商品名等ユニークな名称を付与するだけでなく、情報提供を行う利用者の地域情報を識別するゾーンコードを含めて、登録するドメイン名管理方法を用いることで、大阪在住の人がエリア検索機能を持った検索エンジンで例えば「美術館  ｚｚ５４０」（目的キャラクタ  規定のデリミタ  地域特定コード）と入力すれば、ＺＩＰコード５４０を起点として、近いエリアの美術館を優先表示するものである（ここでは、ＺＩＰコードのデリミタをＺＺとしている）。
【００２４】
更に、「美術館  ｚｚ１０５」とすればＺＩＰコード１０５（東京都港区）を起点とした周辺の美術館の情報を優先表示するものである。
【００２５】
一般的に、インターネットは、大きな辞書として使われているケースも多く、不明な事象、言葉、場所等を入力して必要な情報を得るのに使われている。
【００２６】
しかしながら、世界中の情報を相手に必要な情報を速やかに入手するのは、なかなか困難であり、そのために検索エンジンをうまく使って必要な情報をうまく入手することが、情報検索のキモで有る場合が多い。
【００２７】
また、一般に必要な情報は身の回りに近いところから必要になる場合が多い。
【００２８】
そこで、通常の目的語を入力して検索を行うだけでなく、同時に地域情報の入力で地域を特定することで、より必要な情報を速やかに入手することが出来る物である。
【図面の簡単な説明】
【図１】本発明実施例におけるＤＮＳサーバーシステムの接続系統図
【図２】ＤＮＳサーバーのＩＰアドレス・ドメイン名設定表を示す図
【図３】一般的なＷＥＢ閲覧の処理フローチャート
【図４】図３ブロック２０の詳細フローチャート
【符号の説明】
１０  インターネット網
１１  クライアントＰＣ
１２  ＷＥＢサーバー
１３  ＤＮＳサーバー（ローカル）
１４  ＤＮＳサーバー（グローバル）含むキャッシュサーバー
２０  タスクナンバー２０のプログラム処理チャート
【図１】
2004220243.tif 000003
【図２】
2004220243.tif 000004
【図３】
2004220243.tif 000005
【図４】
2004220243.tif 000006